(57)【要約】【課題】電波状況が悪い環境下にてユーザーへのサービス性を向上させ得る車両用電波異常報知システムを提供する。【解決手段】車両用電波異常報知システムは、電子式キー１１、車両ＢＤ系の統合ＥＣＵ２１（通信手段，記憶手段，制御手段）、および管理センターＣＣを含んで構成される。統合ＥＣＵ２１には、メータ装置３０（報知手段）、ナビゲーション装置４０（位置情報取得手段，記憶手段）、エンジン回転検出センサ５１（駐車推定手段）を有するエンジン装置５０、およびドア施錠装置６０（車両用電子機器）が通信可能に接続される。統合ＥＣＵ２１は、エンジン回転検出センサ５１により車両の駐車が推定され、かつ管理センターＣＣからセンタ通信端末２３を介して送信された電波異常位置情報とナビゲーション装置４０により取得された車両の現在の位置情報とが一致したことを条件として、車両の乗員に電波異常位置情報をメータ装置３０を介して報知する。【選択図】図１
2008305321.tif 000002
【特許請求の範囲】
【請求項１】
車両の位置情報を取得する位置情報取得手段と、
電波の送受信により作動可能な車両用電子機器と、
前記車両用電子機器が電波異常により作動不能であるときの前記位置情報取得手段により取得された位置情報を電波異常位置情報として記憶する記憶手段と、
前記記憶手段に記憶された電波異常位置情報を、車両との間で各種情報を互いに送受信可能な管理センターに送信する通信手段と、
車両の駐車が推定され、かつ前記管理センターから送信された前記電波異常位置情報と前記位置情報取得手段により取得された車両の現在の位置情報とが一致したことを条件として、車両の乗員に電波異常位置情報を報知手段を介して報知する制御手段とを備えたことを特徴とする車両用電波異常報知システム。
【請求項２】
前記電波異常位置情報は、前記車両用電子機器と、同車両用電子機器を作動可能な電子式キー間の送受信が不能である位置を表すものである請求項１に記載の車両用電波異常報知システム。
【請求項３】
前記電波異常位置情報は、車両と前記管理センター間の電波の送受信が不能である位置を表すものである請求項１に記載の車両用電波異常報知システム。
【請求項４】
前記管理センターは、車両に対して定期的に確認電波を送信するものであり、前記制御手段は、車両が前記確認電波を受信できないときの前記位置情報取得手段により取得された位置情報を電波異常位置情報として前記記憶手段に記憶させるように設定されている請求項３に記載の車両用電波異常報知システム。
【請求項５】
前記管理センターは、同管理センターとの間で送受信可能な複数の車両に対して前記電波異常位置情報を送信するように設定されている請求項１〜４のいずれか１項に記載の車両用電波異常報知システム。
【発明の詳細な説明】
【技術分野】
【０００１】
本発明は、車両用電波異常報知システムに関し、特に電波が異常な場所に関する位置情報を記憶するように構成した車両用電波異常報知システムに関する。
【背景技術】
【０００２】
位置情報を記憶するように構成したこの種の装置として、例えば下記特許文献１に記載された車両用故障診断装置が知られている。この車両用故障診断装置では、エンジン制御やサスペンション制御を行う電子制御装置の故障が検出されたとき、その診断データが車両の現在位置を表す位置データと共に記憶手段に記憶されるようになっている。これによれば、故障の検出時に車両がどこにいたかを正確に特定することができ、その位置データを故障の原因や対策方法を検討する上で効果的に利用することができる。
【特許文献１】特開平１０−１６０６４２号公報
【発明の開示】
【発明が解決しようとする課題】
【０００３】
ところで、近年は、利便性の観点から電波の送受信により作動可能な車両用電子機器を搭載する車両が増える傾向にある。このため、電波状況が悪い環境下では、車両用電子機器が作動不能となるケースが増大するものと予想される。したがって、上記した従来技術の長所を取り込みつつ、電波状況が悪い環境下に適切に対応可能な新たな技術の開発が望まれている。
【０００４】
本発明の課題は、電波状況が悪い環境下にてユーザーへのサービス性を向上させ得る車両用電波異常報知システムを提供することにある。
【課題を解決するための手段及び発明の効果】
【０００５】
上記課題を解決するために、本発明の車両用電波異常報知システムは、車両の位置情報を取得する位置情報取得手段と、電波の送受信により作動可能な車両用電子機器と、前記車両用電子機器が電波異常により作動不能であるときの前記位置情報取得手段により取得された位置情報を電波異常位置情報として記憶する記憶手段と、前記記憶手段に記憶された電波異常位置情報を、車両との間で各種情報を互いに送受信可能な管理センターに送信する通信手段と、車両の駐車が推定され、かつ前記管理センターから送信された前記電波異常位置情報と前記位置情報取得手段により取得された車両の現在の位置情報とが一致したことを条件として、車両の乗員に電波異常位置情報を報知手段を介して報知する制御手段とを備えたことを特徴とする。この場合、前記電波異常情報は、例えば、前記車両用電子機器と、同車両用電子機器を作動可能な電子式キー間の送受信が不能である位置を表すものであるとよい。
【０００６】
この車両用車両用電波異常報知システムでは、車両の駐車が推定され、かつ管理センターから送信された電波異常位置情報と位置情報取得手段により取得された車両の現在の位置情報とが一致したことを条件として、制御手段により車両の乗員に電波異常位置情報が報知手段を介して報知される。
【０００７】
このため、車両用電子機器が作動不能となった原因が、車両用電子機器の故障ではなく、電波異常であることを確認することができる。したがって、ディーラー等により、例えば車両用電子機器のＥＣＵが間違って交換されるという事態の発生を回避することが可能である。また、車両の駐車位置が電波異常位置であることを知ることで、ユーザー自身により車両の防犯措置が講じられることが期待でき、車両の防犯措置を確保することも可能である。
【０００８】
本発明の実施に際して、前記電波異常位置情報は、車両と前記管理センター間の電波の送受信が不能である位置を表すものであることも可能である。この場合、前記管理センターは、例えば、車両に対して定期的に確認電波を送信するものであり、前記報知制御手段は、車両が前記確認電波を受信できないときの前記位置情報取得手段により取得された位置情報を電波異常位置情報として前記記憶手段に記憶させるように設定されているとよい。
【０００９】
これによれば、車両の駐車位置が電波異常位置であり、例えばモバイル通信端末を利用した管理センターによるサービスを受けられないことを知ることで、ユーザー自身による車両の防犯意識が高められることが期待でき、車両の防犯措置を確保することが可能である。
【００１０】
また、本発明の実施に際して、前記管理センターは、同管理センターとの間で送受信可能な複数の車両に対して前記電波異常位置情報を送信するように設定されていることも可能である。
【００１１】
これによれば、電波異常位置に駐車する可能性のある複数の車両において、上記した車両の防犯措置を効果的に確保することが可能である。
【発明を実施するための最良の形態】
【００１２】
ａ．第１実施形態
以下、本発明の第１実施形態について図面を用いて説明する。図１は、本発明の第１実施形態に係る車両用電波異常報知システムの全体を概略的に表すブロック図である。この車両用電波異常報知システムは、電子式キー１１、車両ＢＤ系の統合ＥＣＵ２１、および管理センターＣＣを含んで構成されている。
【００１３】
電子式キー１１は、ユーザーが携帯する無線通信携帯器（スマートキー、セキュリティーキー）であり、ユーザー毎に認証用のユーザーＩＤを記憶している。
【００１４】
統合ＥＣＵ２１は、ＣＰＵ，ＲＯＭ，ＲＡＭ，入出力部，ＥＥＰＲＯＭなどからなるマイクロコンピュータを主要構成部品としており、例えばＥＥＰＲＯＭのメモリ内に書き込まれた認証照合用のマスターＩＤを記憶している。統合ＥＣＵ２１には、送受信回路および変復調回路を有する送受信機２２が接続されていて、送受信機２２を介して電子式キー１１からユーザーＩＤを受信し、マスターＩＤと照合するようになっている。また、統合ＥＣＵ２１は、ＲＯＭに記憶された図２の電波異常位置通信プログラムおよび図３の電波異常位置報知プログラムを繰り返し実行する。
【００１５】
管理センターＣＣは、車両ＢＤに搭載されたセンタ通信端末２３（通信手段）を介して種々のサービスを自動的にユーザーに提供可能とされている。具体的には、管理センターＣＣは、メンテナンスの時期、各種イベント情報の他、エンジン装置５０、ブレーキ装置などの異常を検知した場合は、その内容をユーザーに通知する。
【００１６】
また、管理センターＣＣは、ユーザーが所持するモバイル通信端末１２（例えば携帯電話機、パソコン）を介してユーザーの要望に応じた種々のサービスを提供可能とされている。具体的には、車両ＢＤを降車したユーザーがドアの開閉状態、ドア施錠装置６０の施錠状態、ハザードランプの点灯状態、ウィンドゥの開閉状態などを管理センターＣＣに確認した場合は、管理センターＣＣは各装置の検知信号に基づいて確認内容について返信する。また、車両ＢＤを降車したユーザーが、施錠し忘れたドア施錠装置６０の施錠、消し忘れたハザードランプの消灯、閉め忘れたウィンドゥの閉作動などを要求した場合は、管理センターＣＣは要望に応じて各装置をリモート操作する（図６（ａ）参照）。
【００１７】
統合ＥＣＵ２１には、メータ装置３０、ナビゲーション装置４０、エンジン装置５０およびドア施錠装置６０がＬＡＮ通信線を介して通信可能に接続されている。メータ装置３０（報知手段）は、例えばＬＣＤおよびＬＣＤドライバで構成された表示部３１、ブザー，チャイムなどの音声出力部３２、およびメータＥＣＵ３３を備えている。メータＥＣＵ３３は、ＣＰＵ，ＲＯＭ，ＲＡＭ，入出力部などからなるマイクロコンピュータを主要構成部品としており、統合ＥＣＵ２１から出力された制御指令に応じて表示部３１に所定の警告メッセージを表示させ、また音声出力部３２に所定の警告音を出力させる。
【００１８】
ナビゲーション装置４０（位置情報取得手段）は、衛星からの電波に基づいて車両の現在位置の絶対位置を検出するＧＰＳモジュール４１、車両の走行距離を検出する車速センサ４２、車両の回転角速度に基づいて車両の進行方向を検出するジャイロセンサ４３、およびナビＥＣＵ４４を備えている。ナビＥＣＵ４４は、ＣＰＵ，ＲＯＭ，ＲＡＭ，入出力部などからなるマイクロコンピュータを主要構成部品としており、ＨＤＤ（図示省略）に記憶されたナビプログラムに従って制御を行うとともに、データベースおよび地図データ（マップマッチング用データ、道路の接続を表した道路データなどを含む電子地図データのデータベース）に基づいて、各センサ等４１〜４３による検出値の誤差を補正して、車両の現在位置情報を取得する。そして、取得した車両の位置情報は、統合ＥＣＵ２１またはナビゲーション装置４０のＲＡＭ等に記憶されるようになっている。
【００１９】
エンジン装置５０は、エンジンの回転数を検出するエンジン回転検出センサ５１と、エンジンＥＣＵ５２とを備えている。エンジン回転検出センサ５１（駐車推定手段）は、検出したエンジンの回転数をエンジンＥＣＵ５２を介して統合ＥＣＵ２１に出力する。
【００２０】
ドア施錠装置６０（車両用電子機器）は、ドアの施錠または開錠を検出する施錠開錠検出スイッチ６１、ドアを施錠または開錠するためのドア施錠開錠モータ６２、およびドアＥＣＵ６３を備えている。施錠開錠検出スイッチ６１は、電子式キー１１を所持するユーザーがアウトドアハンドルに設けられたロックボタンに触れたとき施錠オン信号を、アウトドアハンドルに触れたとき開錠オン信号をドアＥＣＵ６３を介して統合ＥＣＵ２１に出力する。なお、施錠開錠検出スイッチ６１は、電子式キー１１を所持するユーザーが車両ＢＤから所定距離外にいるとき施錠オン信号を、車両ＢＤから所定距離内にいるとき開錠オン信号をドアＥＣＵ６３を介して統合ＥＣＵ２１に出力するように構成してもよい。
【００２１】
ドアＥＣＵ６３は、ＣＰＵ，ＲＯＭ，ＲＡＭ，入出力部などからなるマイクロコンピュータを主要構成部品としており、統合ＥＣＵ２１から施錠要求信号を入力したときドアが施錠されるようにドア施錠開錠モータ６２を駆動し、開錠要求信号を入力したときドアが開錠されるようにドア施錠開錠モータ６２を駆動する。
【００２２】
すなわち、統合ＥＣＵ２１は、施錠開錠検出スイッチ６１から施錠オン信号または開錠オン信号を入力したとき、電子式キー１１に対してユーザーＩＤの送信を要求し、これを受けて電子式キー１１は記憶されているユーザーＩＤを送信する。そして、統合ＥＣＵ２１は、送受信機２２を介して受信した電子式キー１１のユーザーＩＤと、マスターＩＤとの照合を行い、二つのＩＤが一致（認証が受理）していれば、ドアＥＣＵ６３に施錠要求信号または開錠要求信号を出力するようになっている（図４（ａ）参照）。統合ＥＣＵ２１は、記憶手段、通信手段および制御手段としての役割を果たす。
【００２３】
次に、上記のように構成した第１実施形態の作動について説明する。統合ＥＣＵ２１は、ＲＯＭに記憶された図２の電波異常位置通信プログラムおよび図３の電波異常位置報知プログラムを繰り返し実行している。
【００２４】
最初に、図２の電波異常位置通信プログラムについて説明する。この電波異常位置通信プログラムは、電子式キー１１を所持するユーザーが車両ＢＤを降車し、アウトドアハンドルに設けられたロックボタンまたはアウトドアハンドルに触れてからの処理を示すものであり、ステップＳ１０にてその実行が開始される。車両ＢＤを降車した位置の電波が正常であるときは、図４（ａ）の通常時の制御が行われる。
【００２５】
一方、車両ＢＤを降車した位置の電波が異常であるときは、図４（ｂ）の異常時の制御に示すように、施錠開錠検出スイッチ６１による施錠オン信号または開錠オン信号を受けて、統合ＥＣＵ２１が電子式キー１１に対してユーザーＩＤの送信を要求しても、電子式キー１１からの応答を受信できない状態にある。このため、電子式キー１１を利用してドアを施錠または開錠することができない。
【００２６】
この場合は、ステップＳ１１にて「Ｎｏ」、すなわちドア施錠開錠モータ６１の駆動によるドアの施錠（スマートロック）または開錠（スマートアンロック）ができないと判定して、ステップＳ１２の処理を実行する。ステップＳ１２では、統合ＥＣＵ２１は、ナビゲーション装置４０から車両ＢＤの現在の位置情報を取得して記憶し、あるいはナビゲーション装置４０にその位置情報を記憶させる。
【００２７】
次に、ステップＳ１３にて、現在、管理センターＣＣとの間で通信可能であれば、ステップＳ１２で記憶した車両ＢＤの位置情報を電波異常位置情報として管理センターＣＣへ送信する。また、この最新の位置情報以外にも、未送信の位置情報が記憶されていれば、その位置情報を電波異常位置情報として管理センターＣＣへ送信する。ステップＳ１３の処理後、ステップＳ１４に進む。
【００２８】
ステップＳ１４では、管理センターＣＣに新たな電波異常位置情報が記憶されていれば、その位置情報を取得する。なお、管理センターＣＣは、新たな電波異常位置情報を各車両に送信するに際して、各車両から送信された電波異常位置情報ごとに電波異常の原因を究明し、電波異常が存在している事実が確認された場合にのみ、確認済みの電波異常位置情報を各車両に送信するようにしてもよい。
【００２９】
そして、現時点ではステップＳ１３，Ｓ１４の処理により電波異常位置情報を管理センターＣＣへ送信し、また電波異常位置情報を管理センターＣＣから取得できないときは、管理センターＣＣとの間で送受信可能な位置に移動したとき、Ｓ１３，Ｓ１４の処理により電波異常位置情報を管理センターＣＣへ送信し、また電波異常位置情報を管理センターＣＣから取得することとなる。
【００３０】
次に、図３の電波異常位置報知プログラムについて説明する。この電波異常位置報知プログラムは、電波異常位置に駐車する可能性のある車両、例えばユーザーが後日、前回と同じ電波異常位置に駐車する場合や、別のユーザーが新たに電波異常位置に駐車する場合についての処理を示すものであり、ステップＳ２０にてその実行が開始される。
【００３１】
ステップＳ２１にて、各ユーザーによる車両の降車が推定されるとき、すなわち回転状態にあったエンジンが停止状態となり、エンジン回転検出センサ５１により検出されたエンジンの回転数がゼロであるとき（ステップＳ２１にて「Ｙｅｓ」）、ステップＳ２２にて、管理センターＣＣから送信された電波異常位置情報から自車両が電波異常位置にいるか否か、すなわち管理センターＣＣから既に受信済みの電波異常位置情報と、ナビゲーション装置４０から取得された自車両の現在の位置情報とが一致するか否かを判定する。両位置情報が一致している場合（ステップＳ２２にて「Ｙｅｓ」）は、ステップＳ２３にて、メータ装置３０の表示部３１に、電子式キー１１を利用したドア施錠装置６０による施錠または開錠ができない旨の警告メッセージを表示させ、また音声出力部３２から所定の警告音を出力させる。
【００３２】
これによれば、ステップＳ２２，Ｓ２３の処理により前回と同じユーザーは、ドア施錠装置６０が作動しなかった原因が、ドア施錠装置６０の故障ではなく、電波異常であることを確認することができる。このため、ドア施錠装置６０が故障しているかについてディーラー等に問い合わせることもないので、ディーラー等により、例えば正常なドアＥＣＵ６３が間違って交換されるという事態の発生が回避される。また、別のユーザーは、車両の駐車位置が電波異常位置であることを知ることで、ドア施錠装置６０がユーザーにより手動で操作されることが期待でき、車両の防犯措置も確保される。また、電波異常位置に駐車する可能性のある複数の車両に電波異常位置情報を送信することで、車両ごとの防犯措置が効果的に確保される。
【００３３】
ｂ．第２実施形態
上記第１実施形態においては、ドア施錠装置６０と電子式キー１１間の電波の送受信が不能となる位置情報を電波異常位置情報としてユーザーに報知するように構成したが、これに加えてまたは代えて、例えば各車両と管理センターＣＣ間の電波の送受信が不能となる位置情報を電波異常位置情報としてユーザーに報知するように構成することも可能である。この第２実施形態では、統合ＥＣＵ２１は、図２の電波異常位置通信プログラムおよび図３の電波異常位置報知プログラムを実行することに加えてまたは代えて、図５の電波異常報知プログラムを実行するようになっている。なお、その他の構成は上記第１実施形態と同じであるので、説明を省略する。
【００３４】
この第２実施形態では、管理センターＣＣは、図６（ａ）に示すように、統合ＥＣＵ２１に対して受信確認用に定期的に確認電波を送信しており、車両ＢＤが電波の正常位置にいるとき、統合ＥＣＵ２１は、ステップＳ３１にて確認電波を定期的に受信する。車両ＢＤが電波の異常位置（例えば地下や、妨害電波が発生しているような電波状況の悪い場所）にいるとき、統合ＥＣＵ２１は、確認電波を受信できなくなる（ステップＳ３２にて「Ｎｏ」）。この場合は、ステップＳ３３にて、上記した図２のステップＳ１２と同様、統合ＥＣＵ２１は、ナビゲーション装置４０から車両ＢＤの現在の位置情報を取得して記憶し、あるいはナビゲーション装置４０にその位置情報を記憶させる。
【００３５】
そして、その現在位置で車両ＢＤからの降車が推定されるとき、ステップＳ３６，Ｓ３７にて何れも「Ｙｅｓ」と判定し、ステップＳ３８にて、統合ＥＣＵ２１は、メータ装置３０の表示部３１に、モバイル通信端末１２を利用した管理センターＣＣによるサービスを受けられない旨の警告メッセージを表示させ、また音声出力部３２から所定の警告音を出力させる。
【００３６】
これによれば、ステップＳ３７，Ｓ３８の処理により車両の駐車位置が電波異常位置であり、モバイル通信端末１２を利用した管理センターＣＣによるサービスを受けられないことを知ることで、ドア施錠装置６０の施錠し忘れがないようにユーザーの意識が高められることが期待でき、車両の防犯措置が確保される。
【００３７】
その後、統合ＥＣＵ２１は、車両ＢＤが管理センターＣＣとの間で送受信可能な位置に移動したとき（ステップＳ３２にて「Ｙｅｓ」）、ステップＳ３３で記憶した車両ＢＤの位置情報を電波異常位置情報として管理センターＣＣへ送信する。また、ステップＳ３５にて、管理センターＣＣに新たな電波異常位置情報が記憶されていれば、その位置情報を取得する。なお、この第２実施形態においても、管理センターＣＣは、新たな電波異常位置情報を各車両に送信するに際して、各車両から送信された電波異常位置情報ごとに電波異常の原因を究明し、電波異常が存在している事実が確認された場合にのみ、確認済みの電波異常位置情報を各車両に送信するようにしてもよい。
【００３８】
上記第１および第２実施形態では、車両用電子機器がドア施錠装置６０である場合を代表して説明したが、車両用電子機器はこれに限らず、例えば自動ドア開閉装置や、パワーウィンドゥ装置、ハザードランプ装置などについても上記と同様にして実施することが可能である。
【００３９】
また、上記第１および第２実施形態では、車両からのユーザーの降車を、エンジン回転検出センサ５１により検出されたエンジンの回転数に基づいて推定するようにしたが、これに加えてまたは代えて、例えば着座検出センサによりシート上にてユーザーが検出されないことや、車速センサにより検出された車速がゼロであること等により車両からのユーザーの降車を推定するようにしてもよい。
【図面の簡単な説明】
【００４０】
【図１】本発明の第１および第２実施形態に係る車両用電波異常報知システムを示すブロック図。
【図２】本発明の第１実施形態に係り、図１に示した統合ＥＣＵによって実行される電波異常位置通信プログラムを示すフローチャート。
【図３】本発明の第１実施形態に係り、図１に示した統合ＥＣＵによって実行される電波異常位置報知プログラムを示すフローチャート。
【図４】（ａ）は電子式キーと統合ＥＣＵ間にて電波が送受信可能であるときの模式図。（ｂ）は電子式キーと統合ＥＣＵ間にて電波が送受信不能であるときの模式図。
【図５】本発明の第２実施形態に係り、図１に示した統合ＥＣＵによって実行される電波異常報知プログラムを示すフローチャート。
【図６】（ａ）は管理センターと統合ＥＣＵ間にて電波が送受信可能であるときの模式図。（ｂ）は管理センターと統合ＥＣＵ間にて電波が送受信不能であるときの模式図。
【符号の説明】
【００４１】
ＢＤ  車両
ＣＣ  管理センター
１１  電子式キー
１２  モバイル通信端末
２１  統合ＥＣＵ（通信手段，記憶手段，制御手段）
２２  送受信機（通信手段）
２３  センタ通信端末（通信手段）
３０  メータ装置（報知手段）
３１  表示部
３２  音声出力部
３３  メータＥＣＵ
４０  ナビゲーション装置（位置情報取得手段，記憶手段）
４１  ＧＰＳモジュール
４２  車速センサ
４３  ジャイロセンサ
４４  ナビＥＣＵ
５０  エンジン装置
５１  エンジン回転検出センサ（駐車推定手段）
５２  エンジンＥＣＵ
６０  ドア施錠装置（車両用電子機器）
６１  施錠開錠検出スイッチ
６２  ドア施錠開錠モータ
６３  ドアＥＣＵ
【図１】
2008305321.tif 000003
【図２】
2008305321.tif 000004
【図３】
2008305321.tif 000005
【図４】
2008305321.tif 000006
【図５】
2008305321.tif 000007
【図６】
2008305321.tif 000008